(57)【要約】【課題】  原本がなくても、原本画像や原本に複数の追記がされた合成画像を生成することができ、また、追記部分を抽出することができる画像処理装置、画像処理方法および画像処理プログラムを提供する。【解決手段】  画像入力部２により複数の原稿を読み取り、追記画像１，２を得て、抽出画像生成部３により追記画像(1)，(2)から追記抽出画像(1)，(2)を抽出する。原本画像生成部４により追記画像(1)から追記抽出画像(1)を減じる処理を行って原本画像を生成し、合成画像生成部５により追記画像(2)に追記抽出画像(1)を加算して合成画像を生成する。【選択図】    図１
2006109009.tif 000002
【特許請求の範囲】
【請求項１】
同一内容の複数の原本にそれぞれ異なる追記がされた複数の原稿を読み取って得られた複数の追記画像に基づいて、前記複数の追記画像からそれぞれ前記追記の部分を抽出した複数の追記抽出画像を生成する抽出画像生成部を備えたことを特徴とする画像処理装置。
【請求項２】
同一内容の複数の原本にそれぞれ異なる追記がされた複数の原稿を読み取って得られた複数の追記画像に基づいて、前記原本のみからなる原本画像を生成する原本画像生成部を備えたことを特徴とする画像処理装置。
【請求項３】
同一内容の複数の原本にそれぞれ異なる追記がされた複数の原稿を読み取って得られた複数の追記画像に基づいて、前記原本に前記異なる追記の内の少なくとも１つが合成された合成画像を生成する合成画像生成部を備えたことを特徴とする画像処理装置。
【請求項４】
前記合成画像生成部は、前記原本に複数の追記を合成した合成画像を生成するとき、前記追記ごとにその画像の特徴を異ならせた前記合成画像を生成することを特徴とする請求項３に記載の画像処理装置。
【請求項５】
前記画像の特徴は、画素値あるいは色であることを特徴とする請求項４に記載の画像処理装置。
【請求項６】
同一内容の複数の原本にそれぞれ異なる追記がされた複数の原稿を読み取って得られた複数の追記画像に基づいて、指定されたモードに応じて、前記複数の追記画像からそれぞれ前記追記の部分を抽出した複数の追記抽出画像、前記原本のみからなる原本画像、あるいは前記原本に前記異なる追記の内の少なくとも１つが合成された合成画像を生成する画像生成部を備えたことを特徴とする画像処理装置。
【請求項７】
前記画像生成部は、前記複数の追記抽出画像を生成する抽出画像生成部と、追記が同一の前記追記画像および前記追記抽出画像に基づいて前記原本画像を生成する原本画像生成部と、追記が異なる前記追記画像および前記追記抽出画像の組合せに基づいて前記合成画像を生成する合成画像生成部とを備えたことを特徴とする請求項６に記載の画像処理装置。
【請求項８】
前記画像生成部は、前記複数の追記画像に基づき前記原本画像を生成する原本画像生成部と、前記追記画像と前記原本画像から前記追記抽出画像を生成する抽出画像生成部と、前記原本画像と前記追記抽出画像を合成して前記合成画像を生成する合成画像生成部とを備えたことを特徴とする請求項６に記載の画像処理装置。
【請求項９】
原本に第１の追記がされた第１の原稿、および前記原本に第２の追記がされた第２の原稿をそれぞれ読み取って得られた第１および第２の追記画像からそれぞれ前記第１および第２の追記の部分を抽出した第１および第２の追記抽出画像を生成する抽出画像生成部と、
前記第１の追記画像および前記第１の追記抽出画像、あるいは前記第２の追記画像および前記第２の追記抽出画像に基づいて前記原本のみからなる原本画像を生成する原本画像生成部と、
前記第１の追記画像および前記第２の追記抽出画像、あるいは前記第２の追記画像および前記第１の追記抽出画像に基づいて、前記原本に前記第１および第２の追記がされた合成画像を生成する合成画像生成部とを備えたことを特徴とする画像処理装置。
【請求項１０】
前記抽出画像生成部は、前記第１および第２の追記画像の画像信号に基づいて前記第１および第２の追記抽出画像の画像信号をそれぞれ出力する第１および第２の論理回路を有する差分抽出部を備えたことを特徴とする請求項９に記載の画像処理装置。
【請求項１１】
前記抽出画像生成部は、前記差分抽出部の第１および第２の論理回路の後段にそれぞれ設けられ、本来１つの線分であったものが前記差分抽出部の処理によって欠落した部分を補間して１つの線分に復元する修正を行う第１および第２の修正部を備えたことを特徴とする請求項１０に記載の画像処理装置。
【請求項１２】
原本に第１の追記がされた第１の原稿、および前記原本に第２の追記がされた第２の原稿をそれぞれ読み取って得られた第１および第２の追記画像から前記第１および第２の追記画像に共通する画像を抽出して前記原本のみからなる原本画像を生成する原本画像生成部と、
前記第１の追記画像および前記原本画像に基づいて前記第１の追記の部分を抽出した第１の追記抽出画像を生成するとともに、前記第２の追記画像および前記原本画像に基づいて前記第２の追記の部分を抽出した第２の追記抽出画像を生成する追記抽出画像生成部と、
前記原本画像、および前記第１および第２の追記抽出画像に基づいて前記原本に第１および第２の追記がされた合成画像を生成する合成画像生成部とを備えたことを特徴とする画像処理装置。
【請求項１３】
前記抽出画像生成部は、前記第１の追記画像および前記原本画像に基づいて前記第１の追記抽出画像を生成する第１の追記抽出部と、前記第２の追記画像および前記原本画像に基づいて前記第２の追記抽出画像を生成する第２の追記抽出部と、前記第１および第２の追記抽出部の後段にそれぞれ設けられ、本来１つの線分であったものが前記第１および第２の追記抽出部の処理によって欠落した部分を補間して１つの線分に復元する修正を行う第１および第２の修正部とを備えたことを特徴とする請求項１２に記載の画像処理装置。
【請求項１４】
同一内容の複数の原本にそれぞれ異なる追記がされた複数の原稿を読み取って得られた複数の追記画像に基づいて、前記複数の追記画像からそれぞれ前記追記の部分を抽出した複数の追記抽出画像を生成することを特徴とする画像処理方怯。
【請求項１５】
同一内容の複数の原本にそれぞれ異なる追記がされた複数の原稿を読み取って得られた複数の追記画像に基づいて、前記原本のみからなる原本画像を生成することを特徴とする画像処理方法。
【請求項１６】
同一内容の複数の原本にそれぞれ異なる追記がされた複数の原稿を読み取って得られた複数の追記画像に基づいて、前記原本に前記異なる追記の内の少なくとも１つが合成された合成画像を生成することを特徴とする画像処理方法。
【請求項１７】
同一内容の複数の原本にそれぞれ異なる追記がされた複数の原稿を読み取って得られた複数の追記画像に基づいて、指定されたモードに応じて、前記複数の追記画像からそれぞれ前記追記の部分を抽出した複数の追記抽出画像、前記原本のみからなる原本画像、あるいは前記原本に前記異なる追記の内の少なくとも１つが合成された合成画像を生成することを特徴とする画像処理方法。
【請求項１８】
原本に第１の追記がされた第１の原稿、および前記原本に第２の追記がされた第２の原稿をそれぞれ読み取って得られた第１および第２の追記画像からそれぞれ前記第１および第２の追記の部分を抽出した第１および第２の追記抽出画像を生成し、
前記第１の追記画像および前記第１の追記抽出画像、あるいは前記第２の追記画像および前記第２の追記抽出画像に基づいて前記原本のみからなる原本画像を生成し、
前記第１の追記画像および前記第２の追記抽出画像、あるいは前記第２の追記画像および前記第１の追記抽出画像に基づいて、前記原本に前記第１および第２の追記がされた合成画像を生成することを特徴とする画像処理方法。
【請求項１９】
原本に第１の追記がされた第１の原稿、および前記原本に第２の追記がされた第２の原稿をそれぞれ読み取って得られた第１および第２の追記画像から前記第１および第２の追記画像に共通する画像を抽出して前記原本のみからなる原本画像を生成し、
前記第１の追記画像および前記原本画像に基づいて前記第１の追記の部分を抽出した第１の追記抽出画像を生成するとともに、前記第２の追記画像および前記原本画像に基づいて前記第２の追記の部分を抽出した第２の追記抽出画像を生成し、
前記原本画像、および前記第１および第２の追記抽出画像に基づいて前記原本に第１および第２の追記がされた合成画像を生成することを特徴とする画像処理方法。
【請求項２０】
請求項１４から１９のいずれか１項に記載の画像処理方法をコンピュータに実行させるための画像処理プログラム。
【発明の詳細な説明】
【技術分野】
【０００１】
本発明は、紙文書に文字、記号等のアノテーション（注釈）を追加した文書を取り扱う画像処理装置、画像処理方法および画像処理プログラムに関し、特に、原本がなくても、原本画像や原本に複数の追記がされた合成画像を生成することができ、また、追記部分を抽出することができる画像処理装置、画像処理方法および画像処理プログラムに関する。
【背景技術】
【０００２】
従来、原本である紙文書に文字、記号などのアノテーションが追記された追記文書は、登録された原本と追記文書を比較照合することにより、アノテーションを抽出し、アノテーション情報画像を生成していた（例えば、特許文献１〜３参照）。
【０００３】
特許文献１には、登録されている原文書と原文書に２次的な情報を加えた文書とを比較照合することにより、２次的な情報のみを抽出する文書画像処理方法が記載されている。
【０００４】
特許文献２には、ある文書がすでにファイリングされている文書Ａの更新文書Ｂである場合、文書Ｂと文書Ａとを比較して追加情報画像を抽出し、追加情報画像を文書Ａに階層的に追加するファイリング方法が記載されている。
【０００５】
特許文献３には、入力した画像データが既にファイリングされている文書Ａの更新文書Ｂである場合、文書Ａを特定し、文書Ｂと文書Ａとを比較して追加画像を抽出し、追加画像に関する情報を入力し、抽出した追加画像及び入力した追加画像に関する情報を記憶するファイリング方法が記載されている。
【特許文献１】特開昭６１−２６７１７７号公報（図２）
【特許文献２】特開平０８−３１７１５５号公報（図２）
【特許文献３】特開２０００−１４８７９０号公報（図２）
【発明の開示】
【発明が解決しようとする課題】
【０００６】
しかし、特許文献１〜３の発明によれば、原本をあらかじめ登録しておかなければならないため、原本が登録あるいは存在していない場合は、追記されたアノテーションを抽出することができないという問題がある。
【０００７】
従って、本発明の目的は、原本がなくても、原本画像や原本に複数の追記がされた合成画像を生成することができ、また、追記部分を抽出することができる画像処理装置、画像処理方法および画像処理プログラムを提供することにある。
【課題を解決するための手段】
【０００８】
本発明は、上記目的を達成するため、同一内容の複数の原本にそれぞれ異なる追記がされた複数の原稿を読み取って得られた複数の追記画像に基づいて、前記複数の追記画像からそれぞれ前記追記の部分を抽出した複数の追記抽出画像を生成する抽出画像生成部を備えたことを特徴とする画像処理装置を提供する。
【０００９】
複数の追記画像の共通する要素からなる画像が原本画像であり、追記画像と原本画像の相違する要素からなる画像が追記抽出画像であことから、複数の追記画像を取得することによって追記抽出画像を生成することができる。
【００１０】
本発明は、上記目的を達成するため、同一内容の複数の原本にそれぞれ異なる追記がされた複数の原稿を読み取って得られた複数の追記画像に基づいて、前記原本のみからなる原本画像を生成する原本画像生成部を備えたことを特徴とする画像処理装置を提供する。
【００１１】
複数の追記画像の共通する要素からなる画像が原本画像であことから、複数の追記画像を取得することによって原本画像を生成することができる。
【００１２】
本発明は、上記目的を道成するため、同一内容の複数の原本にそれぞれ異なる追記がされた複数の原稿を読み取って得られた複数の追記画像に基づいて、前記原本に前記異なる追記の内の少なくとも１つが合成された合成画像を生成する合成画像生成部を備えたことを特徴とする画像処理装置を提供する。
【００１３】
複数の追記画像の共通する要素からなる画像が原本画像であり、追記画像と原本画像の相違する要素からなる画像が追記抽出画像であり、原本画像に追記抽出画像を付加した画像が合成画像であることから、複数の追記画像を取得することによって合成画像を生成することができる。
【００１４】
上記合成画像生成部は、原本に複数の追記を合成した合成画像を生成するとき、追記ごとにその画像の特徴を異ならせた合成画像を生成してもよい。これにより、追記ごとの識別が可能となる。追記ごとの画像の特徴には、画素値、色等がある。
【００１５】
本発明は、上記目的を達成するため、同一内容の複数の原本にそれぞれ異なる追記がされた複数の原稿を読み取って得られた複数の追記画像に基づいて、指定されたモードに応じて、前記複数の追記画像からそれぞれ前記追記の部分を抽出した複数の追記抽出画像、前記原本のみからなる原本画像、あるいは前記原本に前記異なる追記の内の少なくとも１つが合成された合成画像を生成する画像生成部を備えたことを特徴とする画像処理装置を提供する。
【００１６】
複数の追記画像の共通する要素からなる画像が原本画像であり、追記画像と原本画像の相違する要素からなる画像が追記抽出画像であり、原本画像に追記抽出画像を付加した画像が合成画像であることから、複数の追記画像を取得することによって原本画像、追記抽出画像および合成画像を生成することができる。
【００１７】
上記画像生成部は、複数の追記抽出画像を生成する抽出画像生成部と、追記が同一の追記画像および追記抽出画像に基づいて原本画像を生成する原本画像生成部と、追記が異なる追記画像および追記抽出画像の組合せに基づいて合成画像を生成する合成画像生成部とを備えた構成としてもよい。
【００１８】
また、上記画像生成部は、複数の追記画像に基づき原本画像を生成する原本画像生成部と、追記画像と原本画像から記抽出画像を生成する抽出画像生成部と、原本画像と追記抽出画像を合成して合成画像を生成する合成画像生成部とを備えた構成としてもよい。
【００１９】
本発明は、上記目的を達成するため、原本に第１の追記がされた第１の原稿、および前記原本に第２の追記がされた第２の原稿をそれぞれ読み取って得られた第１および第２の追記画像からそれぞれ前記第１および第２の追記の部分を抽出した第１および第２の追記抽出画像を生成する抽出画像生成部と、前記第１の追記画像および前記第１の追記抽出画像、あるいは前記第２の追記画像および前記第２の追記抽出画像に基づいて前記原本のみからなる原本画像を生成する原本画像生成部と、前記第１の追記画像および前記第２の追記抽出画像、あるいは前記第２の追記画像および前記第１の追記抽出画像に基づいて、前記原本に前記第１および第２の追記がされた合成画像を生成する合成画像生成部とを備えたことを特徴とする画像処理装置を提洪する。
【００２０】
上記抽出画像生成部は、第１および第２の追記画像の画像信号に基づいて第１および第２の追記抽出画像の画像信号をそれぞれ出力する第１および第２の論理回路を有する差分抽出部を備えものとしてもよい。
【００２１】
また、上記抽出画像生成部は、差分抽出部の第１および第２の論理回路の後段にそれぞれ設けられ、本来１つの線分であったものが差分抽出部の処理によって欠落した部分を補間して１つの線分に復元する修正を行う第１および第２の修正部を備えた構成としてもよい。これにより、欠落のない追記抽出画像を生成することができる。
【００２２】
本発明は、上記目的を達成するため、原本に第１の追記がされた第１の原稿、および前記原本に第２の追記がされた第２の原稿をそれぞれ読み取って得られた第１および第２の追記画像から前記第１および第２の追記画像に共通する画像を抽出して前記原本のみからなる原本画像を生成する原本画像生成部と、前記第１の追記画像および前記原本画像に基づいて前記第１の追記の部分を抽出した第１の追記抽出画像を生成するとともに、前記第２の追記画像および前記原本画像に基づいて前記第２の追記の部分を抽出した第２の追記抽出画像を生成する追記抽出画像生成部と、前記原本画像、および前記第１および第２の追記抽出画像に基づいて前記原本に第１および第２の追記がされた合成画像を生成する合成画像生成部とを備えたことを特徴とする画像処理装置を提供する。
【００２３】
上記抽出画像生成部は、第１の追記画像および原本画像に基づいて第１の追記抽出画像を生成する第１の追記抽出部と、第２の追記画像および原本画像に基づいて第２の追記抽出画像を生成する第２の追記抽出部と、第１および第２の追記抽出部の後段にそれぞれ設けられ、本来１つの線分であったものが第１および第２の追記抽出部の処理によって欠落した部分を補間して１つの線分に復元する修正を行う第１および第２の修正部とを備えた構成としてもよい。これにより、欠落のない追記抽出画像を生成することができる。
【００２４】
本発明は、上記目的を達成するため、同一内容の複数の原本にそれぞれ異なる追記がされた複数の原稿を読み取って得られた複数の追記画像に基づいて、前記複数の追記画像からそれぞれ前記追記の部分を抽出した複数の追記抽出画像を生成することを特徴とする画像処理方法を提供する。
【００２５】
本発明は、上記目的を達成するため、同一内容の複数の原本にそれぞれ異なる追記がされた複数の原稿を読み取って得られた複数の追記画像に基づいて、前記原本のみからなる原本画像を生成することを特徴とする画像処理方法を提供する。
【００２６】
本発明は、上記目的を達成するため、同一内容の複数の原本にそれぞれ異なる追記がされた複数の原稿を読み取って得られた複数の追記画像に基づいて、前記原本に前記異なる追記の内の少なくとも１つが合成された合成画像を生成することを特徴とする画像処理方法を提供する。
【００２７】
本発明は、上記目的を達成するため、同一内容の複数の原本にそれぞれ異なる追記がされた複数の原稿を読み取って得られた複数の追記画像に基づいて、指定されたモードに応じて、前記複数の追記画像からそれぞれ前記追記の部分を抽出した複数の追記抽出画像、前記原本のみからなる原本画像、あるいは前記原本に前記異なる追記の内の少なくとも１つが合成された合成画像を生成することを特徴とする画像処理方法を提供する。
【００２８】
本発明は、上記目的を達成するため、原本に第１の追記がされた第１の原稿、および前記原本に第２の追記がされた第２の原稿をそれぞれ読み取って得られた第１および第２の追記画像からそれぞれ前記第１および第２の追記の部分を抽出した第１および第２の追記抽出画像を生成し、前記第１の追記画像および前記第１の追記抽出画像、あるいは前記第２の追記画像および前記第２の追記抽出画像に基づいて前記原本のみからなる原本画像を生成し、前記第１の追記画像および前記第２の追記抽出画像、あるいは前記第２の追記画像および前記第１の追記抽出画像に基づいて、前記原本に前記第１および第２の追記がされた合成画像を生成することを特徴とする画像処理方法を提供する。
【００２９】
本発明は、上記目的を達成するため、原本に第１の追記がされた第１の原稿、および前記原本に第２の追記がされた第２の原稿をそれぞれ読み取って得られた第１および第２の追記画像から前記第１および第２の追記画像に共通する画像を抽出して前記原本のみからなる原本画像を生成し、前記第１の追記画像および前記原本画像に基づいて前記第１の追記の部分を抽出した第１の追記抽出画像を生成するとともに、前記第２の追記画像および前記原本画像に基づいて前記第２の追記の部分を抽出した第２の追記抽出画像を生成し、前記原本画像、および前記第１および第２の追記抽出画像に基づいて前記原本に第１および第２の追記がされた合成画像を生成することを特徴とする画像処理方法を提供する。
【００３０】
本発明は、上記目的を達成するため、上記各画像処理方法をコンピュータに実行させるための画像処理プログラムを提供する。
【発明の効果】
【００３１】
本発明によれば、原本がなくても、原本画像や原本に複数の追記がされた合成画像を生成することができ、また、追記部分を抽出することができる。
【発明を実施するための最良の形態】
【００３２】
［第１の実施の形態］
図１は、本発明の第１の実施の形態に係る画像処理装置の構成を示し、（ａ）はブロック図、（ｂ）は差分抽出部の回路例を示す。この画像処理装置１は、同一内容の複数の原本にそれぞれ異なる追記がされた複数の原稿からそれぞれ複数の追記画像(1)，(2)を光学的に読み取る画像入力部２と、追記画像(1)，(2)に基づいて追記抽出画像(1)，(2)を生成する抽出画像生成部３と、追記画像(1)および追記抽出画像(1)から原本画像を生成する原本画像生成部４と、追記画像(2)および追記抽出画像(1)から原本に両方の追記がされた合成画像を生成する合成画像生成部５と、抽出画像生成部３、原本画像生成部４および合成画像生成部５から出力された画像を用紙に印字して出力する画像出力部６と、ユーザが各種入力操作を行うための操作部７と、この装置１の各部を制御する制御部８とを備える。
【００３３】
抽出画像生成部３は、画像入力部２から出力される画像の位置、傾き、歪み等を補正する画像補正部３０と、画像補正部３０により補正された追記画像(1)，(2)の差分を抽出する差分抽出部３１と、抽出された差分画像の修正を行い、追記抽出画像(1)，(2)として画像出力部６に出力する第１および第２の修正部３２，３３とを備える。
【００３４】
差分抽出部３１は、追記画像(1)，(2)の画像信号を入力するＮＡＮＤ回路３２と、ＮＡＮＤ回路３２から出力された信号と追記画像(1)の画像信号を入力する第１のＡＮＤ回路３３と、ＮＡＮＤ回路３２から出力された信号と追記画像(2)の画像信号を入力する第２のＡＮＤ回路３４を用いて構成され、追記画像(1)，(2)の画像信号が入力されると、追記画像(1)，(2)のそれぞれについて追記抽出画像(1)，(2)の画像信号が出力されるようになっている。なお、図１（ｂ）の構成において、ＮＡＮＤ回路の代わりにＡＮＤ回路を用い、ＡＮＤ回路の代わりにＮＡＮＤ回路を用いて構成してもよい。
【００３５】
第１および第２の修正部３２，３３は、本来１つの線分であったものが差分抽出部３１の差分処理によって欠落した部分を補間して１つの線分に復元するような修正を行うものである。なお、図示はしていないが、第１および第２の修正部３２，３３に、画像補正部３０からの出力画像を入力し、それも用いて修正を行うようにしても良い。
【００３６】
原本画像生成部４は、例えば、ＮＯＴ回路とＡＮＤ回路を用いて構成され、画像入力部２から送られてきた追記画像(1)から抽出画像生成部３により得られた追記抽出画像(1)を減ずる処理を行って原本画像を生成するようになっている。なお、追記画像(2)から追記抽出画像(2)を減ずる処理を行って原本画像を生成してもよい。また、ＡＮＤ回路を用いて追記画像(1)と追記画像(2)から原本画像を生成してもよい。
【００３７】
合成画像生成部５は、画像入力部２から送られてきた追記画像(2)と追記抽出画像(1)とを合成して合成画像、すなわち、原本画像に追記抽出画像(1)，(2)を加重した合成画像を生成する。この画像の生成は、追記抽出画像ごとにその画像の特徴、例えば、画像の画素数、色等の特徴を異ならせて行ってもよい。また、追記画像(1)と追記抽出画像(2)から合成画像を生成してもよい。
【００３８】
画像出力部６は、抽出画像生成部３、原本画像生成部４あるいは合成画像生成部５から出力される画像を可視表示するプリンタである。プリンタとして、レーザプリンタ、インクジェットプリンタ、ドットインパクトプリンタ等を用いることができる。なお、画像出力部として、ＣＲＴ（陰極線管）ディスプレイ、液晶ディスプレイ等のディスプレイを用いてもよい。
【００３９】
操作部７は、例えば、ＬＣＤ（液晶ディスプレイ）等の表示部を背面側に配置したタッチパネルにより構成され、表示部に表示された出力モード選択画面に対して所望の出力モードを押下することにより出力モードを選択できるようになっている。この出力モードには、追記抽出画像の出力モード、原本画像の出力モード、および合成画像の出力モードがある。
【００４０】
制御部８は、操作部７によって選択された出力モードに従って必要な各部を動作させ、ユーザが要求する追記抽出画像、原本画像あるいは合成画像を出力するようになっている。
【００４１】
（第１の実施の形態の動作）
次に、第１の実施の形態に係る画像処理装置１の動作を出力モードに分けて説明する。
【００４２】
（１）追記画像の出力モード
図２は、追記抽出画像の出力モードを説明するための図である。第１の原稿１０は、企画提案書等の原本に楕円のマーク、矢印、「入換え」の文字、「修正」の文字からなる追記部分１２を有しているものとする。第２の原稿１１は、企画提案書等の原木に矢印、「効果追加」の文字からなる追記部分１３を有しているものとする。
【００４３】
まず、ユーザは、第１および第２の原稿１０，１１を画像入力部２にセットし、操作部７を操作して追記抽出画像の出力モードを選沢し、画像入力部２を起動して第１および第２の原稿１０，１１を読み取らせる。画像入力部２は、制御部８の制御の下に、第１および第２の原稿１０，１１から読み取って得られた追記画像(1)，(2)を抽出画像生成部３に出力する。
【００４４】
抽出画像生成部３の画像補正部３０は、画像入力部２から出力された追記画像(1)，(2)の位置、傾斜、画像の歪み等を補正し、差分抽出部３１に送る。
【００４５】
差分抽出部３１のＮＡＮＤ回路３２は、追記画像(1)，(2)の画像信号を入力し、第１のＡＮＤ回路３３は、追記画像(1)の画像信号とＮＡＮＤ回路３２の出力信号を入力して追記抽出画像(1)の画像信号を出力する。第２のＡＮＤ回路３４は、追記画像(2)の画像信号とＮＡＮＤ回路３２の出力信号を入力して追記抽出画像(2)の画像信号を出力する。
【００４６】
第１および第２の修正部３２，３３は、出力された追記抽出画像(1)，(2)に対して本来１つの線分であったものが差分抽出部３１の差分処理によって欠落した部分を補間して１つの線分に復元するような修正を行って画像出力部６に出力する。
【００４７】
画像出力部６は、図２に示すように、抽出画像生成部３から出力された追記抽出画像(1)２０および追記抽出画像(2)２１を用紙に印刷して出力する。
【００４８】
（２）原本画像の出力モード
図３は、原本画像の出力モードを説明するための図である。
【００４９】
まず、ユーザは、第１および第２の原稿１０，１１を画像入力部２にセットし、操作部７を操作して原本画像の出力モードを選択し、画像入力部２を起動して第１および第２の原稿１０，１１を読み取らせる。画像入力部２は、制御部８の制御の下に、第１および第２の原稿１０，１１を読み取って得られた追記画像(1)，(2)を抽出画像生成部３に送るとともに、追記画像(1)を原本画像生成部４に送る。
【００５０】
抽出画像生成部３は、前述した追記画像の出力モードと同様に追記抽出画像(1)，(2)を生成し、追記抽出画像(1)を原本画像生成部４に出力する。
【００５１】
原本画像生成部４は、追記画像(1)から追記抽出画像(1)を減ずる処理を行い、得られた原本画像を画像出力部６に出力する。
【００５２】
画像出力部６は、図３に示すように、原本画像生成部４から出力された原本画像４０を用紙に印刷して出力する。
【００５３】
（３）合成画像の出力モード
図４は、合成画像の出力モードを説明するための図である。
【００５４】
まず、ユーザは、第１および第２の原稿１０，１１を画像入力部２にセットし、操作部７を操作して合成画像の出力モードを選択し、画像入力部２を起動して第１および第２の原稿１０，１１を読み取らせる。画像入力部２は、制御部８の制御の下に、第１および第２の原稿１０，１１を読み取って得られた追記抽出画像(1)，(2)を抽出画像生成部３に送るとともに、追記画像(2)を合成画像生成部５に送る。
【００５５】
抽出画像生成部３は、前述した追記画像の出力モードと同様に追記抽出画像(1)，(2)を生成し、追記抽出画像(1)を合成画像生成部５に出力する。
【００５６】
合成画像生成部５は、追記画像(2)と追記抽出画像(1)を加算する処理を行って得られた合成画像４１を画像出力部６に出力する。
【００５７】
画像出力部６は、図４に示すように、合成画像生成部５から出力された合成画像４１を用紙に印刷して出力する。
【００５８】
（第１の実施の形態の効果）
第１の実施の形態に係る画像処理装置１によれば、下記の効果を奏する。
（イ）原本が存在しなくても、複数の原本に異なる追記部分１２，１３が付加された複数の原稿１０，１１があれば、追記部分１２，１３のみを出力することができる。従って、原本画像４０、さらには合成画像４１を生成することができる。
（ロ）原本に追記部分１２，１３が付加された複数の原稿１０，１１からそれぞれ追記された文字、記号等を抽出することができるため、複数の人が別々に記入したコメントを個別に確認することができる。
（ハ）複数人が原本に書込み等を行った文書を１つにまとめることができるので、複数の人が別々に記入したコメントを一元的に確認することができる。
【００５９】
［第２の実施の形態］
図５は、本発明の第２の実施の形態に係る画像処理装置の構成を示すブロック図である。この画像処理装置１は、同一内容の複数の原本にそれぞれ異なる追記がされた複数の原稿からそれぞれ複数の追記画像(1)，(2)を光学的に読み取る画像入力部２と、画像入力部２から出力される追記画像(1)，(2)を補正する画像補正部３０と、補正された追記画像(1)，(2)から共通する画像を抽出して原本画像を生成する原本画像生成部４Ａと、生成した原本画像と追記画像(1)，(2)から追記抽出画像(1),(2)を生成する抽出画像生成部３Ａと、原本画像と追記抽出画像(1),(2)とから原本に両方の追記がされた合成画像を生成する合成画像生成部５Ａと、抽出画像生成部３Ａ、原本画像生成部４Ａおよび合成画像生成部５Ａから出力された画像を用紙に印字して出力する画像出力部６と、ユーザが各種入力操作を行うための操作部７と、この装置１の各部を制御する制御部８とを備える。
【００６０】
画像補正部３０は、追記画像(1)，(2)の位置、傾き、歪み等を補正し、追記画像(1)，(2)の補正後の各画像を原本画像生成部４Ａおよび抽出画像生成部３Ａに出力するものである。
【００６１】
原本画像生成部４Ａは、補正された追記画像(1),(2)から共通する画像を抽出する共通部抽出部４２と、共通部抽出部４２の処理によって欠落した部分を補間して得られた原本画像を抽出画像生成部３Ａ、合成画像生成部５Ａおよび画像出力部６に出力する第３の修正部４３とを備える。
【００６２】
抽出画像生成部３Ａは、画像補正部３０から出力される追記画像(1)と原本画像生成部４Ａから出力される原本画像とから追記部分を抽出する第１の追記画像抽出部３１Ａと、
、画像補正部３０から出力される追記画像(2)と原本画像生成部４Ａから出力される原本画像とから追記部分を抽出する第２の追記画像抽出部３１Ｂと、第１および第２の追記画像抽出部３１Ａ，３１Ｂの処理によって欠落した部分を補間して合成画像生成部５Ａおよび画像出力部６に出力する第１および第２の修正部３２，３３とを備える。
【００６３】
合成画像生成部５Ａは、原本画像生成部４Ａから出力された原本画像に、抽出画像生成部３Ａから出力された追記抽出画像(1),(2)を加重した合成画像を生成して画像出力部６に出力するものである。
【００６４】
画像入力部２、画像出力部６、操作部７および制御部８は、第１の実施の形態と同様に構成されている。
【００６５】
（第２の実施の形態の動作）
次に、第２の実施の形態に係る画像処理装置１の動作を出力モードに分けて説明する。
【００６６】
（１）原本画像の出力モード
まず、ユーザは、第１および第２の原稿１０，１１を画像入力部２にセットし、操作部７を操作して原本画像の出力モードを選択し、画像入力部２を起動して第１および第２の原稿１０，１１を読み取らせる。画像入力部２は、制御部８の制御の下に、第１および第２の原稿１０，１１を読み取って得られた追記画像(1)，(2)を画像補正部３０に送る。
【００６７】
画像補正部３０は、画像入力部２から出力された追記画像(1)，(2)の位置、傾斜、画像の歪み等を補正し、原本画像生成部４Ａに出力する。
【００６８】
原本画像生成部４Ａの共通部抽出部４２は、追記画像(1),(2)から共通する画像、すなわち原本画像を抽出し、第３の修正部４３は、共通部抽出部４２の処理によって欠落した部分を補間して画像出力部６に出力する。
【００６９】
画像出力部６は、図３に示すように、原本画像生成部４Ａから出力された原本画像４０を用紙に印刷して出力する。
【００７０】
（２）追記画像の出力モード
まず、ユーザは、第１および第２の原稿１０，１１を画像入力部２にセットし、操作部７を操作して追記抽出画像の出力モードを選沢し、画像入力部２を起動して第１および第２の原稿１０，１１を読み取らせる。画像入力部２は、制御部８の制御の下に、第１および第２の原稿１０，１１から読み取って得られた追記画像(1)，(2)を画像補正部３０に出力する。
【００７１】
画像補正部３０Ａは、前述した原本画像の出力モードと同様に追記画像(1)，(2)から原本画像を生成し、抽出画像生成部３Ａに出力する。
【００７２】
原本画像生成部４Ａは、前述した原本画像の出力モードと同様に追記画像(1),(2)から原本画像を生成し、合成画像生成部５Ａおよび抽出画像生成部３Ａに出力する。
【００７３】
抽出画像生成部３Ａの第１の追記画像抽出部３１Ａは、追記画像(1)と原本画像に基づいて追記の部分を抽出し、第２の追記画像抽出部３１Ｂは、追記画像(2)と原本画像に基づいて追記の部分を抽出する。第１および第２の修正部３２，３３は、第１および第２の追記画像抽出部３１Ａ，３１Ｂによって抽出された追記の部分に対して本来１つの線分であったものが第１および第２の追記画像抽出部３１Ａ，３１Ｂの処理によって欠落した部分を補間して１つの線分に復元するような修正を行って画像出力部６に出力する。
【００７４】
画像出力部６は、図２に示すように、抽出画像生成部３Ａから出力された追記抽出画像(1)２０および追記抽出画像(2)２１を用紙に印刷して出力する。
【００７５】
（３）合成画像の出力モード
まず、ユーザは、第１および第２の原稿１０，１１を画像入力部２にセットし、操作部７を操作して合成画像の出力モードを選択し、画像入力部２を起動して第１および第２の原稿１０，１１を読み取らせる。画像入力部２は、第１および第２の原稿１０，１１を読み取って得られた追記抽出画像(1)，(2)を画像補正部３０に送る。
【００７６】
画像補正部３０Ａは、前述した原本画像の出力モードと同様に追記画像(1)，(2)の位置、傾斜、画像の歪み等を補正し、原本画像生成部４Ａおよび抽出画像生成部３Ａに出力する。原本画像生成部４Ａは、前述した原本画像の出力モードと同様に追記画像(1)，(2)から原本画像を生成し、合成画像生成部５Ａおよび抽出画像生成部３Ａに出力する。抽出画像生成部３Ａは、前述した追記画像の出力モードと同様に、追記抽出画像(1)，(2)を生成し、合成画像生成部５Ａに出力する。
【００７７】
合成画像生成部５Ａは、原本画像に追記抽出画像(1)，(2)を加算する処理を行って得られた合成画像を画像出力部６に出力する。
【００７８】
画像出力部６は、図４に示すように、合成画像生成部５Ａから出力された合成画像４１を用紙に印刷して出力する。
【００７９】
（第２実施の形態の効果）
第２の実施の形態に係る画像処理装置１によれば、第１の実施の形態と同様に、原本が存在しなくても、複数の原本に異なる追記部分が付加された複数の原稿があれば、追記部分のみを出力することができ、原本画像および合成画像を生成することができる。
【００８０】
［他の実施の形態］
なお、本発明は、上記実施の形態に限定されず、その要旨を変更しない範囲内で種々な変形が可能である。例えば、原本に複数回にわたり追記があった場合、追記の度に追記抽出画像を出力することにより、原本に対する追記の履歴を管理することができる。
【００８１】
また、上記各実施の形態では、それぞれ異なる追記がされた２枚の原稿を読み取って原稿画像、追記抽出画像、合成画像を生成したが、それぞれ異なる追記がされた３枚以上の原稿を読み取って原稿画像、追記抽出画像、合成画像を生成してもよい。
【図面の簡単な説明】
【００８２】
【図１】本発明の第１の実施の形態に係る画像処理装置の構成を示し、（ａ）はブロック図、（ｂ）は差分抽出部の回路例を示す。
【図２】本発明第１の実施の形態に係る画像処理装置における追記抽出画像の出力モードを説明するための図である。
【図３】本発明の第１の実施の形態に係る画像処理装置における原本画像の出力モードを説明するための図である。
【図４】本発明の第１の実施の形態に係る画像処理装置における合成画像の出力モードを説明するための図である。
【図５】本発明の第２の実施の形態に係る画像処理装置の構成を示すブロック図である。
【符号の説明】
【００８３】
１  画像処理装置
２  画像入力部
３  抽出画像生成部
４  原本画像生成部
５  合成画像生成部
６  画像出力部
７  操作部
８  制御部
１０  第１の原稿
１１  第２の原稿
１２，１３  追記部分
２０  追記抽出画像(1)
２１  追記抽出画像(2)
３０  画像補正部
３１  差分抽出部
３２  第１の修正部
３３  第２の修正部
３２  ＮＡＮＤ回路
３３，３４  ＡＮＤ回路
４１  合成画像
４２  共通部抽出部
４３  第３の修正部
【図１】
2006109009.tif 000003
【図２】
2006109009.tif 000004
【図３】
2006109009.tif 000005
【図４】
2006109009.tif 000006
【図５】
2006109009.tif 000007